(57)【要約】      （修正有）【課題】裸足で地面や砂の上を歩くような適度の刺激が得られる履物である。粒状物を内蔵できる空間を有するアウトソールの天板に無圧と加圧を繰り返すことで中の粒状物が強制的に移動され、加圧時には粒状物は水平方向だけでなく縦方向の特に土踏まずの方向に盛り上がり足底全体を満遍なく刺激する。無圧時には天板の収縮性により盛り上がり部分は下に押し下げられ平らになるという特長がある。この特長を生かし無圧加圧を繰り返すことにより足底全体をマッサージ、刺激することができる履物を提供する。【解決手段】伸縮性素材の袋２に密封された粒状物３を合成樹脂、布、不織布等で作られた立体構造のアウトソール１に入れ、底と天板４とで縫製、接着、溶着し、甲バンドも縫製、接着、溶着の何れかで設ける。【選択図】図４
2006167377.tif 000002
【特許請求の範囲】
【請求項１】
粒状物（３）をアウトソール（１）に設けた空間部屋（７）の中に入れ、アウトソール（１）外周壁上部に弾力性に富んだ天板（４）を設け封入し、天板（４）に無圧と加圧を繰り返すことで、万人の足裏のみならず、足裏の縁より上部側面まで指圧マッサージを可能とする履物。
【請求項２】
粒状物（３）は発泡ポリスチレン、そば殻、砂、また合成樹脂の何れかである請求項１の履物。
【請求項３】
天板は伸縮性に富んだゴムシート、ゴムメッシュ、ストレッチ繊維または織物等でできた請求項１または２の記載の履物。
【請求項４】
前記履物が靴、サンダル、スリッパ、鼻緒付き履物及び靴敷きの何れかである請求項１または２または３記載の履物。
以上の構成よりなる粒状物による足裏および足の周囲側面の圧刺激履物。
【発明の詳細な説明】
【技術分野】
【０００１】  本発明は、指圧マッサージ用履物に関するものであり、履物台の構造に工夫を加える事によって万人の足裏のみならず、足裏の縁より上部側面まで指圧マッサージを可能にしたものである。
【背景技術】
【０００２】  従来の履物は、足底面が接する面に、スポンジ、突起物、液体物等を使用したものはあるが、足底面が接する面はすでにある一定の形に形成された物か規則的に突起物が設置されているだけのもので万人の足には合い難い。
履物の底の表面の形状に合わせて裁断した２枚重ねのシートの中に粒状固定物を封じ込めシートの周わりを縫い合わせるか、又は貼り合わせたものとする特許公開２０００−３２５１０５では、様々な形、硬さの粒状固定物を入れるが、重ね合わせたシートの中に粒状固定物を封じ込めシートの周わりを縫い合わせるか、又は貼り合わせたものである。
粒状物を紐によって連続して並べ足底を刺激するとした登録実用新案第３０６５６１６号では、足が直接触れる部分が平らであり、粒状物も固定されている。
伸縮性の材料で袋を設けその中に粒状物を入れ無圧と加圧の繰り返しに揺れ動く物として登録実用新案第３０９６６２３号は、粒状物を伸縮性の素材で包み込んだ袋だけのものである。
【特許文献１】  特許公開２０００−３２５１０５
【特許文献２】  登録実用新案第３０６５６１６号
【特許文献３】  登録実用新案第３０９６６２３号
【発明の開示】
【発明が解決しようとする課題】
【０００３】  従来のような既に大雑把に足裏の凹凸又は起伏が形成された履物台では、個人一人一人の足裏及び足裏の縁より上部側面まで満遍なく刺激する事ができない。本発明は、このような不都合を解決する事を課題とする。
【課題を解決するための手段】
【０００４】  粒状物を、アウトソールの空間部屋に、アウトソール外周壁上部に設けた天板で封入した構造からなる履物である。加圧時にはアウトソールの外周壁により粒状物は水平方向には移動せず縦方向に移動する。加圧された粒状物は足裏全体を指圧しながら足裏側面とアウトソール外周壁とによって形成される隙間より上方向に押し出され、この時に足の側面を指圧マッサージする。そして加圧された粒状物は、土踏まずの凹部と外周壁により形成される隙間より上方向に押し出され、土踏まずが特に刺激される。【０００５】  外周壁の爪先部は薄く、踵部は厚くなっている為、踵に体重がかかった時には踵部の粒状物は、土踏まずの凹部と外周壁により形成される隙間より上方向に押し出され、土踏まずが特に刺激される。【０００６】  粒状物を内蔵できる空間部屋を有するアウトソールの外周壁の土踏まずに当たる部分を高くすることで、粒状物が土踏まずの凹部と外周壁により形成される隙間より上方向に押し出され、土踏まずが特に刺激される。
【発明の効果】
【０００７】  本発明により、足裏の一部のみが刺激されるという不都合が起きず、足裏全体特に土踏まずや足指の裏のくぼみのみならず、粒状物と天板の収縮力により従来の履物では不可能であった足の側面全周を指圧マッサージする事ができる。
【発明を実施するための最良の形態】
【０００８】  以下本発明を実施するための最良の形態について説明する。
図４は履物の使用状態を示す側面の断面図である。
同図に示すように、粒状物を、外周壁上部に設けた伸縮性のある天板でアウトソールの空間部屋に封入する。粒状物を加圧すると、外周壁があるために加圧された粒状物は水平方向には広がらず縦方向に逃げようとするが、天板の張力により沈み込んだ足を排除する力が働く。即ち外周壁と足の縁周辺側面とで形成される隙間に強制的に移動した粒状物が、足の縁周辺側面を指圧マッサージする事ができる。【０００９】  図５は履物の使用状態を示す正面の断面図である。
同図に示すように、踵に体重がかかった時には踵部の粒状物は、土踏まずの凹部と外周壁により形成される隙間などを通り、垂直方向に押し出され、外周壁と足裏の縁周辺側面とで形成される隙間に強制的に移動した粒状物が、足裏の縁周辺側面を指圧マッサージする事ができる。【００１０】  図８は爪先部分と踵部分のアウトソールの外周壁の深さを変えて使用状態を示す側面の断面図である。
同図に示すように、踵部の空間部屋の深さを深くする事により、足の踵部側面全体を指圧マッサージする事ができる。足が深く沈みこむことにより、アウトソール外周壁上部に設けた伸縮性のある天板が強く引き伸ばされ、その反作用として、踵部側面全体が指圧マッサージする事ができる。
【図面の簡単な説明】
【０００９】
【図１】本発明の履物の斜視図である。
【図２】本発明の履物の側面の断面図である。
【図３】本発明の履物の正面の断面図である。
【図４】本発明の履物の使用状態を示す側面の断面図である。
【図５】本発明の履物の使用状態を示す正面の断面図である。
【図６】本発明の履物の爪先部分と踵部分のアウトソールの外周壁の深さを変えた状態を示す斜視図である。
【図７】本発明の履物の爪先部分と踵部分のアウトソールの外周壁の深さを変えた状態を示す側面断面図である。
【図８】本発明の履物の爪先部分と踵部分のアウトソールの外周壁の深さを変えて使用状態を示す側面の断面図である。
【図９】本発明の履物の爪先部分と踵部分のアウトソールの外周壁の深さを変えて使用状態を示す正面の断面図である。
【符号の説明】
【００１０】１  アウトソール
２  袋
３  粒状物
４  天板
５  甲材
６  空間部屋
７  足
【図１】
2006167377.tif 000003
【図２】
2006167377.tif 000004
【図３】
2006167377.tif 000005
【図４】
2006167377.tif 000006
【図５】
2006167377.tif 000007
【図６】
2006167377.tif 000008
【図７】
2006167377.tif 000009
【図８】
2006167377.tif 000010
【図９】
2006167377.tif 000011